(57)【要約】      （修正有）【課題】容易に造花を形成することができる造花製造機及び造花製造機キットを提供する。【解決手段】造花製造機１００が、板１０２又は平坦な表面１０３と、各々が平坦な表面に沿って配置され、略円形の形状を形成する複数のアーム１０８と、造花を作成及び固定するための取り付け機構とを含む。各々の花は、ある種類の材料の一連の花びらを戦略的に折り畳み、造花製造機を用いて、折り畳まれた花びらの全てが完成し、最終的に固定されて造花を形成するまで、各々の折り畳まれた花びらを押さえることによって作成される。さらに別の実施形態は、花製造機の収納及び運搬のための箱又は他の筐体を組み込むことができる。【選択図】図１
0003207803.tif 000002
【実用新案登録請求の範囲】
【請求項１】
複数の材料片と共に使用するための造花製造機であって、
中央開口部を有する表面と、
各々が前記表面に固定された遠位端及び近位端を有する、前記中央開口部の周りに配置された複数のアームであって、各アームの前記近位端は、ピボット点の周りを水平方向に回転可能であり、前記表面から遠ざかるように垂直方向に移動可能であり、かつ、前記複数の材料片の少なくとも１つを前記表面に固定することができる、複数のアームと、
前記複数の材料片の各々を互いに固定して造花を形成することができる、前記中央開口部内に適合する取り付け機構と、
を含むことを特徴とする、造花製造機。
【請求項２】
前記ピボット点は、前記アームの前記遠位端に位置することを特徴とする、請求項１に記載の造花製造機。
【請求項３】
各アームは、前記表面に向けてばね付勢され、前記複数の材料片の前記少なくとも１つを前記表面に保持することを特徴とする、請求項１に記載の造花製造機。
【請求項４】
前記取り付け機構は、座金及びスナップブッシングを含むことを特徴とする、請求項１に記載の造花製造機。
【請求項５】
前記スナップブッシングは、装飾要素を含むことを特徴とする、請求項４に記載の造花製造機。
【請求項６】
前記表面を形成する板をさらに含み、前記中央開口部は前記板を通って延びることを特徴とする、請求項１に記載の造花製造機。
【請求項７】
筐体をさらに含み、前記板は前記筐体内に取り外し可能に配置されることを特徴とする、請求項６に記載の造花製造機。
【請求項８】
花製造機板と共に使用できる複数の材料片を含み、前記花製造機板は、中央開口部を有する表面と、各々が前記表面に固定された遠位端及び近位端を有する、前記中央開口部の周りに配置された複数のアームであって、各アームの前記近位端はピボット点の周りを水平方向に回転可能であり、前記表面から遠ざかるように垂直方向に移動可能であり、かつ、前記複数の材料片の少なくとも１つを前記表面に固定することができる、複数のアームとを含み、
前記複数の材料片の各々を互いに固定するための、前記中央開口部に接続されるように作成される取り付け機構が設けられたことを特徴とする造花製造機キット。
【請求項９】
前記複数の材料片は、各々が第１の直径を有する第１の複数の材料片と、各々が第２の直径を有する第２の複数の材料片とを含むことを特徴とする、請求項８に記載の造花製造機キット。
【請求項１０】
前記中央開口部内の前記取り付け機構を前記材料片に接続するのを助けるための接合装置をさらに含み、前記花製造機板が使用されていないとき、前記取り付け機構、前記接合装置及び前記複数の材料片は、前記筐体内に収納できることを特徴とする、請求項８に記載の造花製造機キット。
【請求項１１】
筐体をさらに含み、前記花製造機板は、前記筐体内に取り外し可能に配置されることを特徴とする、請求項８に記載の造花製造機キット。
【考案の詳細な説明】
【技術分野】
【０００１】
（技術分野）
本考案は、一般に、造花製造機（ａｒｔｉｆｉｃｉａｌ  ｆｌｏｗｅｒ  ｍａｋｅｒ）に関する。造花の製造は、高い人気を得ている技能である。
【背景技術】
【０００２】
市販の多くの花製造キットは、大人用にデザインされ、針と糸が入っており、子供には難しく、危険である場合がある。これらの花製造キットの一部は、各花の花びらを該花の他の花びらに縫い付ける必要があり、時間のかかる場合がある。他の花製造キットは、各布片を互いにのり付けして花を固定する必要があり、子供には難しく、手が汚れる場合がある。
【考案の概要】
【０００３】
本件は、一般に、布から造花を作成及び固定するための装置に関する。本件は、一般に、花を作成する間、花びらを押さえるための複数のアームを有する板又は他の平坦な表面と、花びらを互いに固定して花を完成させるための取り付け機構とを含む。
【０００４】
本件の１つの実施形態において、造花製造機は、板又は他の平坦な表面と、各々が平坦な表面に沿って配置され、略円形形状を形成する複数のアームと、造花を作成及び固定するための中央取り付け機構とを含む。各花は、ある種類の材料の一連の花びらを計画的に折り畳み、造花製造機を用いて折り畳まれた花びらの全てを完成し、最終的に固定して造花を形成するまで、各々の折り畳まれた花びらを押さえることによって作成される。各花びらについての材料は、布、発泡体、フェルト、又は種々の他の折り畳み可能な材料を含むことができる。さらに別の実施形態は、花製造機の収納及び運搬のための箱を組み込むことができる。
【０００５】
本考案のより良い理解は、本考案の原理を用い得る種々の方法を示す例証的な実施形態を説明する、以下の詳細な説明及び添付図面から得られるであろう。
【図面の簡単な説明】
【０００６】
【図１】本件の１つの実施形態による造花の平面図である。
【図２】花製造機のアームが第２の動作位置にある、図１に類似した平面図である。
【図３】図１の造花製造機の分解斜視図である。
【図４】本件の１つの実施形態による造花製造機を用いて花を作成及び固定するプロセスのフローチャートである。
【図５Ａ】本件の１つの実施形態による、花を作成及び固定するステップを示すための、異なる折り畳み状態における布片の図を示す。
【図５Ｂ】本件の１つの実施形態による、花を作成及び固定するステップを示すための、異なる折り畳み状態における布片の図を示す。
【図５Ｃ】本件の１つの実施形態による、花を作成及び固定するステップを示すための、異なる折り畳み状態における布片の図を示す。
【図５Ｄ】本件の１つの実施形態による、花を作成及び固定するステップを示すための、異なる折り畳み状態における布片の図を示す。
【図５Ｅ】布が種々の組立て状態にある、図１に示されるような花製造機板の平面図である。
【図５Ｆ】布が種々の組立て状態にある、図１に示されるような花製造機板の平面図である。
【図５Ｇ】布が種々の組立て状態にある、図１に示されるような花製造機板の平面図である。
【図５Ｈ】布が種々の組立て状態にある、図１に示されるような花製造機板の平面図である。
【図５Ｉ】布が種々の組立て状態にある、図１に示されるような花製造機板の平面図である。
【図５Ｊ】布が種々の組立て状態にある、図１に示されるような花製造機板の平面図である。
【図５Ｋ】１つの実施形態に従って作成された布製花の平面図である。
【図６】１つの例示的な代替的実施形態に従って作成された造花の平面図である。
【図７】例示的な代替的実施形態に従って製造された造花の後面図である。
【図８】造花製造機のための携帯用ケースを組み込む代替的実施形態の分解斜視図である。
【図９】閉じた位置にある図８の携帯用ケースの斜視図である。
【考案を実施するための形態】
【０００７】
以下の説明は、その原理に従った本考案の１つ又はそれ以上の実施形態を示し、例証するものである。この説明は、本考案を本明細書で説明される実施形態に限定するためではなく、むしろ本考案の原理を説明及び教示し、当業者がこれらの原理を理解し、その理解により、これらの原理を本明細書で説明される実施形態だけではなく、これらの原理に従って思い付くことができる他のあらゆる実施形態にも適用できるように与えられるものである。本考案の範囲は、文字通り又は均等論の下で、添付の実用新案登録請求の範囲内に入り得る全てのそうした実施形態を網羅することを意図している。
【０００８】
説明及び図面において、同様の又は実質的に類似の要素には、同じ参照番号が付けられる場合があることに留意されたい。しかしながら、そうした表示がより明確な説明を可能にする場合には、これらの要素に異なる番号又は通し番号が付されることもある。さらに、本明細書で示される図面は、必ずしも縮尺通りには示されておらず、場合によっては、特定の特徴をより明確に示すために、比率が誇張されることもある。上述のように、本明細書は、本明細書に教示され、当業者により理解されるような本考案の原理に従って、全体として把握され、解釈されることを意図している。
【０００９】
図１を参照すると、本件の種々の実施形態において、花製造機１００が、造花の材料を配置する略平坦な上面１０３を有する板１０２を含む。１つの実施形態において、表面１０３は、造花のための材料を概ね配置すべき場所の輪郭を描く凹んだ円形形状１０４を含む。凹んだ円形形状１０４は、造花を作成する間、各花びらを概ねどこに配置するかを示す断面線１０６をさらに含む。造花製造機のための、中央取り付け機構などの固定デバイスの表面１０３の中央に、小さい中央孔１１０が配置される。代替的実施形態において、中央孔は、花製造機１００の平坦な表面１０３内の中央ノッチと置き換えることができる。
【００１０】
複数のアーム１０８が、花製造機１００の平坦な表面１０３上に配置され、各アームの形状及び構造は同一であることが好ましい。各アーム１０８は、花製造機１００の平坦な表面１０３に固定された遠位端１０８ａと、取り付けられていない可動の近位端１０８ｂとを有する。デフォルト位置では、図１に示されるように、近位端は、遠位端１０８ａよりも平坦な表面１０３の中心に近い。図１に示される実施形態のような特定の実施形態において、アームは、花又は子供に対して魅力的であり得る他のいずれかの形状のような装飾部材１０５を含む。この実施形態において、装飾部材１０５は、アーム１０８の遠位端１０８ａに取り付けられる。図１〜図３にさらに示すように、特定の実施形態において、各アームは、アーム１０８の近位端１０８ｂの近くに配置された把持部材１１１を含むこともできる。各アーム１０８又は装飾部材１０５の形状及び構成を変更して、子供にもっと魅力的に見えるようにすることができる。例えば、アームは、他の装飾要素を含んでもよく、又は異なる色としてもよい。
【００１１】
図１及び図２に見られるように、複数のアームの各遠位端１０８ａは、平坦な表面１０３の小さい円形中央孔１１０の周りに略円形パターンで配置される。示される実施形態において、造花製造機１００は、各々が六角形状の頂点にある６つのアーム１０８を含む。別の実施形態において、造花製造機は、各々が五角形状の頂点にある５つのアームを含むことができる。各アームの遠位端１０８ａは、各アーム１０８の近位端１０８ｂが回転軸１０７の周りを回転可能であるように、平坦な表面１０３に取り付けられる。回転軸１０７は、各アーム１０８の遠位端１０８ａに位置し、各アーム１０８は、その軸１０７の周りを平坦な表面１０３の面に沿って水平方向に回転可能である。各アーム１０８の近位端１０８ｂもまた、平坦な表面１０３に対して垂直方向に可動である。アームは、好ましくは屈曲可能な材料で形成されるので、各アーム１０８の近位端１０８ｂを把持部材１１１によって持ち上げたり（解放モード）又は降ろしたり（保持モード）することができる。持ち上げをやめると、この材料はその元の状態に戻り、保持モードに付勢される。
【００１２】
一例として、各アーム１０８をばね金属材料で形成し、近位端１０８ｂが、把持部材１１１によって表面１０３から離れるように垂直方向に可動であり、かつ、デザイン過程で、表面１０３の方向にばね付勢されて布を所定の位置に保持又は係合するようにできる。引張ばね（図示せず）を用いて、アームを、アーム１０８の近位端１０８ｂのデフォルト位置に下降モード又は保持モードで付勢し、引張ばねによりアーム１０８の近位端１０８ｂが可動である（解放モード）ようにすることもできる。
【００１３】
図３に示されるように、各アーム１０８の遠位端１０８ａは、固定デバイス１０９によって平坦な表面１０３に取り付けられる。示される実施形態において、固定デバイス１０９は、板１０２の表面１０３から上向きに延びるねじ付きボスであり、各アームの遠位端１０８ａのねじ１１３が固定デバイス１０９にねじ込まれてアーム１０８を板１０２に取り付ける。アーム１０８を平坦な表面１０３に固定する他の手段も用い得ることを理解されたい。
【００１４】
板１０２及び複数のアーム１０８に加えて、造花製造機１００は、座金１１２及びスナップブッシング１１４から成る中央取り付け機構を含む。１つの実施形態において、以下により詳細に説明されるように、造花を最初に作成する前に、座金１１２を板の円形中央孔１１０内に配置し、個々の花びらを作成し、座金１１２と個々の花びらを互いに固定し、造花を形成した後に、スナップブッシング１１４を利用する。布製花７００全体は、いずれかの適切な中央取り付け機構によって互いに保持することができ、この中央取り付け機構は、多くの異なる方法でデザインすることができ、異なる形状を有し得ることが理解されるであろう。接着剤を用いて、中央の宝石、ボタン、フェルト、又は布片と共に、布片を接合してもよい。他の実施形態においては、花びらは、針と糸で互いに縫い合わせてもよく、又は代替的に、ねじ、幾つかの座金及びナットを用いて、折り畳まれた花びらを結合することができる。別の実施形態においては、ミニリベット型デバイスを用いて、花びらを互いに強制的にスナップ留めすることができる、これらは単なる例にすぎず、中央取り付け機構により花びらを互いに接合するための方法を網羅することを意図するものではない。
【００１５】
花製造機１００の寸法は、本件の異なる実施形態によって異なり得る。１つの例示的実施形態において、板の寸法は、５．３１２５インチ×５．４３７５インチ×０．２５インチである。この例示的実施形態において、座金１１２すなわち外側リングは、０．６２５インチの内径と、０．８７５インチの外径と、０．２５インチの高さとを有する。この実施形態において、花を互いに固定するために用いられるスナップブッシング１１４は、０．５インチの直径を有する。
【００１６】
図４及び図５Ａ〜図５Ｋは、１つの例示的実施形態における、造花を用いて造花を作成及び固定するプロセスを示す。図４は、造花を作成する例示的プロセス４００を示すフローチャートである。この例示的実施形態において、造花は、布製花びらで作られる。本件の特定の実施形態において、造花は、１つの層の花びらを含むことができる。本件の他の代替的実施形態は、複数の層の花びらを含む。この例示的実施形態において、花７００全体は、２つの層の布製花びらで作成される。第１の層の花びら５００ｄ、５２０、５３０、５４０、５５０及び５６０は、外側花びらと呼ばれ、第２の層の花びら６００、６０２、６０４、６０６、６０８及び６１０は、内側花びらと呼ばれる。この実施形態において、各花びらを形成するのに用いられる布片５００は、略円形形状を有し、各外側花びらの布片は第１の直径を有し、各内側花びらの布片は第２の直径を有し、第１の直径は第２の直径より大きい。例えば、下記の例示的プロセスについての第１の直径は３インチであり、第２の直径は２．２５インチである。この実施形態において、造花のこの第１の層の各花びらの布片は、同じ直径を有する。
【００１７】
図４を参照すると、例示的なプロセス４００は、座金１１２を花製造機板１０２のノッチ又は中央孔１１０内に配置する、ブロック４０２で示される第１のステップから始まる。図５Ａは、円形状を有する第１の布片５００を示す。図５Ａに矢印５０１で示され、ブロック４０４で示されるように、プロセス４００のステップ２は、第１の布片５００をとり、これを中心線５０１ａに沿って半分に折り畳み、図５Ｂに示されるような半円５００ｂを形成することを含む。布の半円５００ｂは、第１の端部５０２ａと、第２の端部５０２ｂとを有する。ブロック４０６で示され、図５Ｂに示されるように、プロセス４００のステップ３は、矢印５０２で示されるように、第１の端部５０２ａを半円５００ｂの第２の端部に向けて中心線５０２ｃで折り畳むことにより、第１の布片５００の半円５００ｂを再び半分に折り畳むことを含む。
【００１８】
図５Ｃを参照すると、布片５００は、今や折り畳まれて四分円５００ｃになり、先の半円５００ｂの第１の端部５０２ａは、第２の端部５０２ｂの真上にある。布の四分円５００ｃは、第１の端部５０２ａを含む布の底部四分円と、底部層を全体的に覆っている第２の端部５０２ｂを含む布の上部四分円とを含む。点線５０３ａは、四分円５００ｃのおよそ三分の一を表す次の折り線を示す。ブロック４０８で示され、図５Ｃに示されるように、プロセス４００のステップ４は、布の四分円５００ｃの上端部５０２ｂを、中心線５０２ｃに向けて三分の一の折り線５０３ａで部分的に折り返し、第１の基本外側花びら５００ｄを形成することを含む。より具体的には、この例示的実施形態において、ステップ４は、上端部５０２ｂを含む四分円５００ｃの上部層のおよそ三分の一をとり、それを先の半円５００ｂの中心線５０２ｃに向けて矢印５０３の方向に、三分の一の折り線５０３ａで折り返すことを含む。
【００１９】
図５Ｄに示されるように、ステップ４の完了後、布の今や折り畳まれた四分円５００ｄは、３つの別個のセクションを有し、各セクションは四分円のおよそ三分の一である。セクション５０５、すなわち先の半円５００ｂの第１の端部５０２ａを含む底部四分円層のおよそ三分の一が見えている。セクション５０７は、先の半円５００ｂの第２の端部５０２ｂを含む上部四分円層のおよそ三分の一である。セクション５０７は、四分円５００ｃの３つの層を含む（一番下にある四分円５００ｃの底部層の中心三分の一、その上にある四分円５００ｃの上部層の中心三分の一、そして一番上にある、三分の一の折り線５０３ｃで後方に裏返された四分円５００ｃの上部層の先の一番左の三分の一であり、端部ｂは、今や先の半円５００ｂの中心線５０２ｃの方により近い）ことを理解されたい。気泡型形状５０７ａは、四分円５００ｃの上部層からの折り畳み部を表す。セクション５０９は、先の半円５００ｂの中心線５０２ｃに隣接する上部四分円層の一番右のセクションのおよそ三分の一である。図５Ｄに示される折り畳まれた四分円５００ｄにより形成される点は、先端５１１である。
【００２０】
再び図４を参照すると、ブロック４１０で示されるように、プロセス４００のステップ５は、外側花びら５００ｄの先端５１１を平坦な表面１０３の中心孔１１０に向けて配置し、外側花びらを花製造機１００のアーム１０８の一方で押さえることにより、第１の花びらを板上に配置することを含む。図５Ｅに示されるように、この実施形態において、座金１１２が、板１０２の中央内に配置される。板１０２の中央において花びら５００ｄの先端５１１が中央孔１１０の上に突き出し、それにより座金１１２の部分が覆われように、花びら５００ｄが板上に配置される。花製造機１００のアーム１０８は、花びら５００ｄを押さえるために使用される。ユーザは、各アームの近位端１０８ｂで把持部材１１１を持ち上げることによって、アーム１０８を持ち上げることができ、ユーザは、花びらを板１０２とアーム１０８との間に滑り込ませる。他の実施形態において、ユーザは、アームの遠位端１０８ａを押し下げて、アームの可動の近位端１０８ｂを持ち上げることができる。
【００２１】
図５Ｆを参照すると、造花の後の花びらの各々について、プロセス４００は、ブロック４１２で示され、図５Ｆ及び図５Ｇに示されるように、ステップ２乃至ステップ５を繰り返し、最終的に花びら５２０、５３０、５４０、５５０及び５６０を形成する。図５Ｆに示されるように、花びら５２０のクロスハッチングは、異なる布の材料片のみを示す。
【００２２】
花びら５２０は、各々が図５Ｄに関して説明されるような花びら５００ｄの３つのセクションに類似した、３つのセクション５２２、５２４及び５２６を含むことを理解されたい。後に配置される花びらの三分の一が先に配置された花びらの三分の一の上に配置されるように、後の花びらの各々が配置されることも理解されたい。より具体的には、図５Ｆに示されるように、花びら５２０のセクション５２６は、花びら５００ｄのセクション５０５の上に配置される。
【００２３】
図５Ｇを参照すると、花びらの各々が板上に配置された後、各花びらの２つのセクションだけが見え、各花びらの三分の一は、隣接した花びらで覆われる。図５Ｇに示されるように、各花びらは、花製造機１００の異なるアーム１０８により押さえられる。布製花の外側層の全ての花びらが板上に配置された後、座金１１２及び板の中央孔１１０は、もはや見えない。
【００２４】
この例示的実施形態のような、第２の層の花びらを含む実施形態において、第２の内側層の花びらは、第１の外側層の花びらと同じ方法で作成される。この実施形態において、内側層の花びらの各花びらは、外側層の花びらの直径より小さい直径を有する。内側層の花びらはそれぞれ、外側層の花びらと同じ方法で折り畳まれる。図４に戻ると、内側層の花びらを作成するために、プロセス４００のステップ１１は、ブロック４１４で示されるように、第１の布を下回る短い直径の第２の布をとり、これを半分に折り畳んで半円を形成することを含む。プロセス４００のステップ８は、ブロック４１６で示されるように、再び第２の布をとり、四分円を形成することを含み、ステップ９は、ブロック４１８で示されるように、四分円の上部層のおよそ三分の一を部分的に折り返して、基本的な内側花びらを形成することを含む。
【００２５】
内側花びら６００が作成された後、プロセス４００のステップ１０は、ブロック４２０で示されるように、内側花びら６００の先端６０１を、外側花びら５００ｄの上部に、板の中心に向けて配置し、花製造機板１０２のアーム１０８により内側花びら６００を押さえることにより、内側花びら６００を板１０２上に配置することを含む。より具体的には、図５Ｈに示されるように、内側層の花びら６００は、外側層の花びら５００ｄの上部に配置され、外側層の花びら５００ｄを保持するアームが持ち上げられ、内側層の花びら６００及び外側層の花びら５００ｄの両方の上部に戻される。次に、プロセス４００のステップ１１は、ブロック４２２で示されるように、他方の内側花びらの各々についてステップ７乃至１０を繰り返し、花の内側層を形成することを含む。図５Ｉに示されるように、内側花びら６００、６０２、６０４、６０６、６０８及び６１０の各々は、それぞれ、外側花びら５００ｄ、５２０、５３０、５４０、５５０及び５６０の各々の上部に配置される。外側層の花びらと同様に、内側層の各花びらは、前に配置された花びらの部分と重なるように配置される。
【００２６】
造花の花びらの各々が作成された後、プロセス４００のステップ１２は、ブロック４２４で示されるように、造花を固定することを含む。これを行うために、プロセス４００は、ブロック４２４で示され、図５Ｊに示されるように、スナップブッシング１１４を、中央孔１１０を通って花びらの中央の上に押し下げ、スナップブッシング１１４、座金１１２（すなわち外側リング）及び花びらの布との気密シールを形成することを含む。ひとたび花７００全体が作成及び固定されると、プロセス４００の最終ステップは、ブロック４２６で示され、図５Ｋに示されるように、アームを解放し、花ユニット７００を板から取り外すことを含む。
【００２７】
本件の種々の実施形態において、中央取り付け機構は、多くの異なる方法でデザインすることができる。上述の例では、座金すなわち外側リング及びスナップブッシング１１４は、布製花を所定の位置にスナップ留めするために用いられることを理解されたい。異なる内側リングを座金１１２と共に用いて、花を固定することができる。特定の実施形態においては、図６に示されるように、花７００の中央が装飾用宝石を含むように、スナップブッシング１１４には、中央の宝石８００が取り付けられる。他の代替的実施形態において、中央の宝石をボタン、フェルト、又は布片と置き換えることもできる。花びらは、種々の異なる方法で取り付けることができることも理解されたい。他の実施形態においては、ねじ、幾つかの座金及びナットが、折り畳まれた花びらを結合するために用いられる。別の実施形態において、ミニリベット型デバイスを用いて、花びらを互いに強制的にスナップ留めすることができる。
【００２８】
造花を装飾として使用し、表示し、衣類品上に又は髪のアクセサリとして装着し、又は枕、帽子、バッグ、靴、カーテン等のような物体に装飾として取り付けるように変更することもできる。例えば、図７は、フェルト片８０２が造花７００の後方にのり付けされた例示的な造花７００の後部を示す。この実施形態において、金属クリップ８０４が造花７００の裏側でフェルト８０２に取り付けられ、花７００を衣料品の上に又はユーザの髪にクリップ留めされたアクセサリとしてクリップ留めできるようにすることもできる。フェルト片は、他の材料片に置き換えられてもよく、又は完全に排除されてもよいことを理解されたい。金属クリップ８０４の代わりに、安全ピン、フック及びループテープ又は花を別の物体に取り付けるために用いられるいずれかの他のデバイスを使用してもよいことも理解されたい。
【００２９】
図８及び図９は、造花製造機全体が携帯用ケース９００内に収容される１つの例示的実施形態を示す。図８に示されるように、本件の１つの実施形態において、スナップブッシング１１４を座金１１２に押し込み、造花を固定するのを容易にする接合装置８０６を含ませることができる。花びらを互いに接合する最終ステップは、子供には難しく、従って、接合装置８０６が含められて、子供が最終片を組み合わせるのを容易にする。図８に示される例示的な接合装置８０６は、長方形形状であり、中空内部を露出するリブを含み、接合装置８０６の一端は、スナップブッシング１１４と適合してスナップブッシング１１４を座金１１２に押し込み、花びらを固定するのを容易にするように成形される。接合装置は、いずれかの他の形状としてもよく、又は花製造機のための取り付け機構と適合するように成形されることを理解されたい。これは、造花製造機１００のための接合装置８０６及び携帯用ケース９００のほんの一例にすぎず、接合装置８０６及び携帯用ケース９００の両方を、異なる形状又は異なる寸法を有するようにデザインすることもできることを理解されたい。
【００３０】
別の実施形態において、携帯用ケース９００は、円形形状であってもよく、上記の図に示される正方形の板の代わりに円形板を使用してもよいことも理解されたい。１つの実施形態において、ケース９００は、板１０２、アーム１０８及び花びら、座金１１２及びスナップブッシング１１４、又はそれらのいずれかの組み合わせのための予め切断された材料（すなわち、布などの）片を含む造花を作成するための用品を含む花製造機１００全体を保持する。図９にさらに示されるように、携帯用ケースの特定の実施形態は、ハンドル９０２と、ロック及びボックスを閉じるための留め金９０４とを含む。
【００３１】
上の命令は、造花の製造を助けるための、コンピュータソフトウェア又はアプリケーションコード又はコンピュータソフトウェア・ユーザインターフェースの形態を与え得ることも理解されたい。別の実施形態において、命令を具体化するコンピュータアプリケーションは、コンピュータデバイス又は携帯型コンピュータデバイス内に実装することができる。例えば、上の命令は、造花の製造方法を支援する又はユーザに教示する１組の対話型命令において具体化することができる。他方、本考案の態様は、工業化した設定において実装することができる。例えば、上の命令は、機械的アーム又はロボットアームを制御して造花を大規模生産するように、プログラミングとして作成することができる。
【００３２】
本考案の特定の実施形態を詳細に説明したが、当業者であれば、本件の教示全体に照らして、それらの詳細に対する修正及び代替物を作ることができることが理解されるであろう。従って、開示される特定の構成は、単に例証的なものであり、添付の実用新案登録請求の範囲の全範囲及びそのいずれかの均等物を与えるように本考案の範囲に関して限定することを意図するものではない。
【符号の説明】
【００３３】
１００：造花製造機
１０２：板
１０３：平坦な表面
１０５：装飾部材
１０７：回転軸
１０８：アーム
１０８ａ：遠位端
１０８ｂ：近位端
１１０：中央孔
１１１：把持部材
１１２：座金
１１３：ねじ
１１４：スナップブッシング
４００：プロセス
７００：花
５００：布片
５００ｂ：半円
５００ｃ：四分円
５００ｄ、５２０、５３０、５４０、５５０及び５６０：第１の層の花びら（外側花びら）
５０２ａ：第１の端部
５０２ｂ：第２の端部
５０２ｃ：中心線
５０５、５０７、５０９、５２２、５２４、５２６：セクション
５１１、６０１：先端
６００、６０２、６０４、６０６、６０８及び６１０：第２の層の花びら（内側花びら）
７００：造花
８０２：フェルト
８０４：クリップ
８０６：接合装置
９００：携帯用ケース
９０４：留め金
【図１】
0003207803.tif 000003
【図２】
0003207803.tif 000004
【図３】
0003207803.tif 000005
【図４】
0003207803.tif 000006
【図５Ａ】
0003207803.tif 000007
【図５Ｂ】
0003207803.tif 000008
【図５Ｃ】
0003207803.tif 000009
【図５Ｄ】
0003207803.tif 000010
【図５Ｅ】
0003207803.tif 000011
【図５Ｆ】
0003207803.tif 000012
【図５Ｇ】
0003207803.tif 000013
【図５Ｈ】
0003207803.tif 000014
【図５Ｉ】
0003207803.tif 000015
【図５Ｊ】
0003207803.tif 000016
【図５Ｋ】
0003207803.tif 000017
【図６】
0003207803.tif 000018
【図７】
0003207803.tif 000019
【図８】
0003207803.tif 000020
【図９】
0003207803.tif 000021